(57)【要約】【課題】音声符号化データの音量変更において、リニアデータに復元することなく音量変更を可能とし、制御部の負担を軽減することが出来るボタン電話機を提供する。【解決手段】保留音を鳴らす場合、制御部１０は音声符号化データ格納部５３内の音声符号化された保留音を、音声インタフェース部６０を介してスピーカー７０から再生する。ここで音量操作部２０により音量を変更した場合、制御部１０は音量変更テーブル格納部５２内の音量変更テーブルを参照して保留音の音量を変更し、音声インタフェース部６０を介して再生させると同時にＲＡＭ５０の音声蓄積部５４に格納する。その後同音量で保留音の再生を行う場合は音声蓄積部５４から再生を行う。【選択図】  図１
2005117109.tif 000002
【特許請求の範囲】
【請求項１】
音声符号化データを格納する音声符号化データ格納部と、前記音声符号化データを再生するスピーカーと、前記スピーカーから再生する前記音声符号化データの音量を変更する為の音量変更テーブルを格納する音量変更テーブル格納部と、前記音量変更操作を指示する音量操作部と、前記音量操作部の指示により前記音量変更テーブルに従って音量変更された前記音声符号化データを格納する音声蓄積部とを備えたことを特徴とするボタン電話機。
【請求項２】
前記音量変更操作が終了した後は前記音声蓄積部に格納されている前記音量変更後音声符号化データを再生することを特徴とする請求項１記載のボタン電話機。
【発明の詳細な説明】
【技術分野】
【０００１】
本発明はボタン電話機に関し、特に音量変更テーブルを用いて音量変更を行うボタン電話機に関する。
【背景技術】
【０００２】
従来のボタン電話機、例えば特許文献１に記載のボタン電話機の音声蓄積装置は、制御部、音声符号化部、符号復元部、メッセージデータベース、削除メッセージデータベース、符号変換条件記憶部、制御コマンドバッファ、コマンド監視部を含み、主装置から伝達された音声情報をデジタル符号化データに変換してメッセージデータベースに蓄積する。主装置からのコマンドが符号変換条件記憶部に保持された条件を満たすとき、コマンド監視部の指示により、メッセージデータベースに蓄積されたメッセージの符号化方式を変換し、削除メッセージデータベースに蓄積する。
【０００３】
【特許文献１】特開２００２−２２３２９６号公報
【発明の開示】
【発明が解決しようとする課題】
【０００４】
特許文献１記載のボタン電話機においては、音声符号化データの音量を変更する手段が明確に記載されてないため、蓄積された音声情報の音量を変更する場合、既知の技術であるリニアデータに一度変換し音量を変更する演算をした後、再び指定された符号化方式で符号化し、データベースに蓄積しなければならない。符号化データを復元し再符号化する場合、制御部に負担がかかるという問題点がある。
【０００５】
本発明のボタン電話機は上記問題点に鑑み、ボタン電話機に入力又は格納されている音声符号化データの音量変更において、音声符号化データの音量変更テーブルを有することにより、音声符号化データをリニアデータに変換したり、リニアデータを音声符号化データに復元することなく、音量変更を行うことで制御部の負担を軽減させることを目的とする。
【０００６】
また、音量を変更した音声符号化データを格納しておくことで、前回と同じ音量で再生する場合再度音量変更の処理をなくし、制御部の負担を軽減させることを目的とする。
【課題を解決するための手段】
【０００７】
本発明のボタン電話機は、音声符号化データを格納する音声符号化データ格納部と、前記音声符号化データを再生するスピーカーと、前記スピーカーから再生する前記音声符号化データの音量を変更する為の音量変更テーブルを格納する音量変更テーブル格納部と、前記音量変更操作を指示する音量操作部と、前記音量操作部の指示により前記音量変更テーブルに従って音量変更された前記音声符号化データを格納する音声蓄積部とを備えたことを特徴とする。
【０００８】
また本発明のボタン電話機は前記音量変更操作が終了した後は前記音声蓄積部に格納されている前記音量変更後音声符号化データを再生することも特徴とする。
【発明の効果】
【０００９】
かかる本発明のボタン電話機によれば、音声符号化データの音量変更において、リニアデータに復元することなく音量変更が可能となり、制御部の負担を軽減することが出来る。また、すでに音量変更を行った音声符号化データを再生する場合、再度音量変更の処理を行う必要がないため、制御部の負担を軽減することが出来るという効果がある。
【発明を実施するための最良の形態】
【００１０】
次に、本発明の実施の形態について図面を参照して説明する。
【００１１】
図１は本発明のボタン電話機の実施形態を示すブロック図である。図１を参照すると、本発明の実施形態であるボタン電話機１は、制御部１０と、音量操作部２０と、音声符号化データインタフェース部３０と、フラッシュＲＯＭ４０と、ＲＡＭ５０と、音声インタフェース部６０と、スピーカー７０とから構成される。
【００１２】
フラッシュＲＯＭ４０は、ソフトウェアプログラムが格納されているプログラム圧縮部４１と、音量変更テーブルが格納されている音量変更テーブル圧縮部４２と、保留音・呼び出し音等の音声符号化データが格納されている音声符号化データ圧縮部４３とから構成される。またＲＡＭ５０は、フラッシュＲＯＭ４０のソフトウェアプログラム圧縮部４１内の圧縮プログラムを復元して格納するプログラム格納部５１と、音量変更テーブル圧縮部４２内の圧縮音量変更テーブルを復元して格納する音量変更テーブル格納部５２と、音声符号化データ圧縮部４３内の圧縮された情報を復元して格納する音声符号化データ格納部５３と、音量を変更した後の音声符号化データを格納する音声蓄積部５４とから構成される。
【００１３】
次に本実施形態の動作について説明を行う。ボタン電話機１は、起動時にフラッシュＲＯＭ４０のプログラム圧縮部４１と、音量変更テーブル圧縮部４２と、音声符号化データ圧縮部４３内の圧縮された情報を復元し、それぞれをＲＡＭ５０内のプログラム格納部５１、音量変更テーブル格納部５２、音声符号化データ格納部５３に格納する。制御部１０はＲＡＭ５０のプログラム５１により動作する。
【００１４】
保留音を鳴らす場合、制御部１０は音声符号化データ格納部５３内の音声符号化された保留音を、音声インタフェース部６０を介してスピーカー７０から再生する。ここで音量操作部２０により音量を変更した場合、制御部１０は音量変更テーブル格納部５２内の音量変更テーブルを参照して保留音の音量を変更し、音声インタフェース部６０を介して再生させると同時にＲＡＭ５０の音声蓄積部５４に格納する。
【００１５】
音量変更が全て変更し、音声蓄積部５４への格納が完了した場合、制御部１０は音量変更テーブル格納部５２での変更を止め、音声蓄積部５４内の音量変更後の音声符号化データを音声インタフェース部６０を介して再生させる。
【００１６】
以後前回同様の音量で保留音を再生する場合は、音声蓄積部５４内の音声符号化データを再生することにより制御部の処理を軽減することが出来る。
【００１７】
次に、図２を用いて音量変更テーブルの一実施例について説明する。図２の音量変更テーブルは音声符号化（G711）Mu-Lawの音量変更テーブルの一部であり、Signビット1のセグメント1の音量変更テーブルである。図２の音量変更テーブルはMu-Lawコードの音量を1dBまたは6dB変更させるものであり、制御部１０により指定された音量変更値を１回または複数回、変換テーブルを参照することにより指定された音量変更後の音声符号化データを得るものである。
【００１８】
例えば図２の音量変換テーブルを用いてMu-Law Code75を7dBダウンさせる場合、まずMu-Law Code75を6dBダウンさせたMu-Law Codeの値は7aとなる。さらにこのMu-Law Code7aを1dBダウンさせMu-Law Codeの値7bを得る。すなわちMu-Law Code7bがMu-Law Code75を7dBダウンさせた値となる。
【図面の簡単な説明】
【００１９】
【図１】本発明の実施形態を示すブロック図である。
【図２】音量変更テーブルの一実施例を示す図である。
【符号の説明】
【００２０】
１  ボタン電話機
１０  制御部
２０  音量操作部
３０  音声符号化データインタフェース部
４０  フラッシュＲＯＭ
４１  プログラム圧縮部
４２  音量変更テーブル圧縮部
４３  音声符号化データ圧縮部
５０  ＲＡＭ
５１  プログラム格納部
５２  音量変更テーブル格納部
５３  音声符号化データ格納部
５４  音声蓄積部
６０  音声インタフェース部
７０  スピーカー
【図１】
2005117109.tif 000003
【図２】
2005117109.tif 000004